(57)【要約】【課題】墨出し器等に使用されるレーザー光放射装置を提供する。【解決手段】レーザー発生装置１より出力されるレーザー光を平行光線にするコリメータレンズ２と、該コリメータレンズ２からの平行光線を第１方向及び第２方向へ分離するビームスプリッタ３と、該ビームスプリッタ３にて第１方向へ分離されたレーザー光の光路内に設けられた第１ロッドレンズ４と、前記ビームスプリッタ３にて第２方向へ分離されたレーザー光の光路内に設けられた第２ロッドレンズ５とを設け、前記第１ロッドレンズ４にて扇状に拡散されて投影される線状光と前記第２ロッドレンズ５にて扇状に拡散されて投影される線状光とを同一線上に位置させるとともにその一部が重なるようにする。【選択図】　　図１
2004037367.tif 000002
【特許請求の範囲】
【請求項１】
レーザー発生装置より出力されるレーザー光を平行光線にするコリメータレンズと、該コリメータレンズからの平行光線を第１方向及び第２方向へ分離するビームスプリッタと、該ビームスプリッタにて第１方向へ分離されたレーザー光の光路内に設けられた第１ロッドレンズと、前記ビームスプリッタにて第２方向へ分離されたレーザー光の光路内に設けられた第２ロッドレンズとより成り、前記第１ロッドレンズにて扇状に拡散されて投影される線状光と前記第２ロッドレンズにて扇状に拡散されて投影される線状光とを同一線上に位置させるとともにその一部が重なるようにしたことを特徴とするレーザー光放射装置。
【請求項２】
ビームスプリッタにて分離される第１方向及び第２方向へのレーザー光の光量が同一になるようにしたことを特徴とする請求項１に記載のレーザー光放射装置。
【請求項３】
ビームスプリッタとしてハーフミラーを使用したことを特徴とする請求項１に記載のレーザー光放射装置。
【発明の詳細な説明】
【０００１】
【発明の属する技術分野】
本発明は、部屋のレイアウトや間仕切り等を行う場合に使用される墨出し器等に組み込まれるレーザー光放射装置に関するものである。
【０００２】
【従来の技術】
レーザー光線は、エネルギー密度が高く広がり幅が狭いという特性を有しているため、墨出し器と呼ばれる装置に多く使用されている。斯かる墨出し器に使用されるレーザー光放射装置としては、例えば特開平８−２７１２５４号公報に開示されたものがある。
【０００３】
【発明が解決しようとする課題】
墨出し器は、携帯して使用されるため、レーザー光を発生させる素子としてレーザーダイオードが使用されている。レーザーダイオードより照射されるレーザー光は、コリメータレンズによって平行光線に変更された後にロッドレンズによって扇状に拡散され、墨出し器として必要な線状光に投影されるように構成されている。
【０００４】
また、ロッドレンズによってレーザー光は、扇状に拡散されるが、その拡散角度は、１２０度から１４０度程度である。斯かる角度にて拡散されるレーザー光を使用した墨出し器では、例えばレーザー光の中心を真上の天井面に位置させたとき、形成される線状光は天井面から両壁面の上部近くまで投影されるが壁面の下部までは届かなかった。
【０００５】
従って、例えば天井面を基準として壁面に窓やドアを設ける場合に線状光の長さが足りず、この長さ不足を解消するためには、墨出し器を壁の近くに移動させたり、一人の作業者が墨出し器を傾け調整した状態にて他方の作業者が窓やドアの取り付け作業を行うという動作が行われている。それ故、作業効率が低いだけでなく、取り付け位置がずれるという問題がある。
【０００６】
本発明は、斯かる問題を解決することが出来るレーザー光放射装置を提供しようとするものである。
【０００７】
【課題を解決するための手段】
本発明は、レーザー発生装置より出力されるレーザー光を平行光線にするコリメータレンズと、該コリメータレンズからの平行光線を第１方向及び第２方向へ分離するビームスプリッタと、該ビームスプリッタにて第１方向へ分離されたレーザー光の光路内に設けられた第１ロッドレンズと、前記ビームスプリッタにて第２方向へ分離されたレーザー光の光路内に設けられた第２ロッドレンズとより成り、前記第１ロッドレンズにて扇状に拡散されて投影される線状光と前記第２ロッドレンズにて扇状に拡散されて投影される線状光とを同一線上に位置させるとともにその一部が重なるように構成されている。
【０００８】
【実施例】
図１は本発明のレーザー光放射装置におけるレーザー光の照射動作を説明するための図である。同図において、１はレーザー光を発光するレーザーダイオードが組み込まれているレーザー発生装置であり、図示したようにレーザー光Ｌ０をを放射するように構成されている。２は前記レーザー発生装置１より放射されたレーザー光Ｌ０を平行光線であるレーザー光Ｌ１にするコリメータレンズ、３は前記コリメータレンズ２によって平行光線にされたレーザー光Ｌ１が入力されるビームスプリッタであり、該レーザー光Ｌ１を透過するレーザー光Ｌ２とミラー面３Ｍにて反射されたレーザー光Ｌ３に分離する作用を成すものである。
【０００９】
４は入力されるレーザー光を扇状に拡散させるとともに線状光として投影する第１ロッドレンズであり、前記ビームスプリッタ３を透過したレーザー光Ｌ２の光路内に配置されている。５は入力されるレーザー光を扇状に拡散させるとともに線状光として投影する第２ロッドレンズであり、前記ビームスプリッタ３にて分離されたレーザー光Ｌ３の光路内に配置されている。そして、第１ロッドレンズ４にて扇状に拡散されて投影される線状光と第２ロッドレンズ５にて扇状に拡散されて投影される線状光とは、同一線上に位置するとともにその一部が重なるように関係付けられている。
【００１０】
以上に説明したように本発明は構成されており、次にレーザー光の拡散動作について説明する。前記レーザー発生装置１より放射されたレーザー光Ｌ０は、コリメータレンズ２によって平行光線であるレーザー光Ｌ１に変更される。前記コリメータレンズ２によって平行光線にされたレーザー光Ｌ１は、その光路内に設けられているビームスプリッタ３によってレーザー光Ｌ２とレーザー光Ｌ３とに分離される。
【００１１】
前記レーザー光Ｌ２は、その光路内に配置されている第１ロッドレンズ４に照射される結果、該ロッドレンズ４によって扇状に拡散されるが、その拡散範囲は図１のＡで示すように約１４０度となる。また、レーザー光Ｌ３は、その光路内に配置されている第２ロッドレンズ５に照射される結果、該ロッドレンズ５によって扇状に拡散されるが、その拡散範囲は図１のＢで示すように約１４０度となる。
【００１２】
前記第１ロッドレンズ４に照射されるレーザー光Ｌ２及び第２ロッドレンズ５に照射されるレーザー光Ｌ３は、各々前述したように扇状に拡散されて線状光として投影されるが、これらの線状光は１本の線になるように関係付けられているので、その拡散範囲は合成されて約２４０度となる。そして、ビームスプリッタ３を透過したレーザー光Ｌ２の光量と該ビームスプリッタ３にて分離されたレーザー光Ｌ３の光量とが同一になるようにすると第１ロッドレンズ４及び第２ロッドレンズ５にて扇状に拡散されて投影される線状光の明るさを両端を除いて略均一にすることが出来る。即ち、レーザー光の中心部の光強度は、周縁の光強度よりも強いため図１の拡散範囲Ａと拡散範囲Ｂとが重なる範囲の光強度は強くなることはなく、拡散範囲Ａ及び拡散範囲Ｂの中間部の光強度と略同一になる。それ故、広範囲に亘って均一な光強度の線状光を得ることが出来る。
【００１３】
尚、本実施例では、レーザー光を分離する手段としてビームスプリッタを使用したが、ハーフミラーを使用すればより安価にて製造することが出来る。
【００１４】
【発明の効果】
本発明は、レーザー発生装置より出力されるレーザー光を平行光線にするコリメータレンズと、該コリメータレンズからの平行光線を第１方向及び第２方向へ分離するビームスプリッタと、該ビームスプリッタにて第１方向へ分離されたレーザー光の光路内に設けられた第１ロッドレンズと、前記ビームスプリッタにて第２方向へ分離されたレーザー光の光路内に設けられた第２ロッドレンズとより成り、前記第１ロッドレンズにて扇状に拡散されて投影される線状光と前記第２ロッドレンズにて扇状に拡散されて投影される線状光とを同一線上に位置させるとともにその一部が重なるようにしたので、拡散されて投影される線状光の拡散範囲を広角度にすることが出来る。従って、本発明を墨出し器に使用すると天井面から壁面まで線状光を投影することが出来るので、屋内の造作を行う場合の作業性を向上させることが出来る。
【００１５】
また、本発明は、ビームスプリッタにて分離される第１方向及び第２方向へのレーザー光の光量が同一になるようにしたので広範囲に亘って均一な線状光を得ることが出来る。
【００１６】
そして、本発明は、ビームスプリッタとしてハーフミラーを使用したので、安価にて製造することが出来る。
【図面の簡単な説明】
【図１】本発明のレーザー光放射装置におけるレーザー光の照射動作を説明するための図である。
【符号の説明】
１　　　　レーザー発生装置
２　　　　コリメータレンズ
３　　　　ビームスプリッタ
４　　　　第１ロッドレンズ
５　　　　第２ロッドレンズ
【図１】
2004037367.tif 000003